(57)【特許請求の範囲】
【請求項１】
資料データを記憶する資料データ記憶部と、
テレビ電話機または携帯電話機である操作用端末から受信する呼制御信号により、前記操作用端末を示す操作用端末電話番号と前記操作用端末に映像ストリームを送信する場合のプロトコルを取得し、映像ストリームの別の送信先を示す送信先電話番号へ発呼し、当該別の送信先から受信する呼制御信号により、当該別の送信先に映像ストリームを送信する場合のプロトコルを取得する呼制御機能部と、
前記操作用端末から受信する音声ストリームにより、前記送信先電話番号を取得する音声解析部と、
前記送信先電話番号と前記操作用端末電話番号とが相違するか否かを判定し、相違するなら、前記呼制御機能部に対し、前記送信先電話番号への発呼を指示する表示先情報管理部と、
前記操作用端末により指定された資料データを前記資料データ記憶部から読み出す資料読み出し機能部と、
前記操作用端末により指定された当該資料データの中のページデータに対応する画像を取得する画像取得部と、
前記送信先電話番号と前記操作用端末電話番号とが相違しないなら、前記操作用端末に映像ストリームを送信する場合のプロトコルにより前記画像を符号化する一方、相違するなら、前記別の送信先に映像ストリームを送信する場合のプロトコルにより前記画像を符号化する画像符号化部と、
前記送信先電話番号と前記操作用端末電話番号とが相違しないなら、前記操作用端末に映像ストリームを送信する場合のプロトコルによる画像の符号化により得られた映像ストリームを前記操作用端末に送信する一方、相違するなら、前記別の送信先に映像ストリームを送信する場合のプロトコルによる画像の符号化により得られた映像ストリームを前記別の送信先に送信する映像ストリーム送信部と
を備えることを特徴とする資料表示サーバ。
【請求項２】
請求項１記載の資料表示サーバとしてコンピュータを機能させるためのコンピュータプログラム。
【請求項３】
テレビ電話機または携帯電話機である操作用端末と資料表示サーバとを備える資料表示システムであって、
前記資料表示サーバは、
資料データを記憶する資料データ記憶部と、
前記操作用端末から受信する呼制御信号により、前記操作用端末を示す操作用端末電話番号と前記操作用端末に映像ストリームを送信する場合のプロトコルを取得し、映像ストリームの別の送信先を示す送信先電話番号へ発呼し、当該別の送信先から受信する呼制御信号により、当該別の送信先に映像ストリームを送信する場合のプロトコルを取得する呼制御機能部と、
前記操作用端末から受信する音声ストリームにより、前記送信先電話番号を取得する音声解析部と、
前記送信先電話番号と前記操作用端末電話番号とが相違するか否かを判定し、相違するなら、前記呼制御機能部に対し、前記送信先電話番号への発呼を指示する表示先情報管理部と、
前記操作用端末により指定された資料データを前記資料データ記憶部から読み出す資料読み出し機能部と、
前記操作用端末により指定された当該資料データの中のページデータに対応する画像を取得する画像取得部と、
前記送信先電話番号と前記操作用端末電話番号とが相違しないなら、前記操作用端末に映像ストリームを送信する場合のプロトコルにより前記画像を符号化する一方、相違するなら、前記別の送信先に映像ストリームを送信する場合のプロトコルにより前記画像を符号化する画像符号化部と、
前記送信先電話番号と前記操作用端末電話番号とが相違しないなら、前記操作用端末に映像ストリームを送信する場合のプロトコルによる画像の符号化により得られた映像ストリームを前記操作用端末に送信する一方、相違するなら、前記別の送信先に映像ストリームを送信する場合のプロトコルによる画像の符号化により得られた映像ストリームを前記別の送信先に送信する映像ストリーム送信部と
を備え、
前記操作用端末は、
前記映像ストリームの送信先を示す送信先電話番号の入力操作があったなら、当該送信先電話番号を前記資料表示サーバに送信する
ことを特徴とする資料表示システム。
【請求項４】
テレビ電話機または携帯電話機である操作用端末と資料表示サーバとを備える資料表示システムの動作方法であって、
前記資料表示サーバは、
資料データを記憶する資料データ記憶部を備え、
前記動作方法は、
前記資料表示サーバの呼制御機能部が、前記操作用端末から受信する呼制御信号により、前記操作用端末を示す操作用端末電話番号と前記操作用端末に映像ストリームを送信する場合のプロトコルを取得する工程と、
前記資料表示サーバの音声解析部が、前記操作用端末から受信する音声ストリームにより、映像ストリームの別の送信先を示す送信先電話番号を取得する工程と、
前記資料表示サーバの表示先情報管理部が、前記送信先電話番号と前記操作用端末電話番号とが相違するか否かを判定し、相違するなら、前記呼制御機能部に対し、前記送信先電話番号への発呼を指示する工程と、
前記資料表示サーバの呼制御機能部が、当該送信先電話番号へ発呼し、当該別の送信先から受信する呼制御信号により、当該別の送信先に映像ストリームを送信する場合のプロトコルを取得する工程と、
前記資料表示サーバの資料読み出し機能部が、前記操作用端末により指定された資料データを前記資料データ記憶部から読み出す工程と、
前記資料表示サーバの画像取得部が、前記操作用端末により指定された当該資料データの中のページデータに対応する画像を取得する工程と、
前記資料表示サーバの画像符号化部が、前記送信先電話番号と前記操作用端末電話番号とが相違しないなら、前記操作用端末に映像ストリームを送信する場合のプロトコルにより前記画像を符号化する一方、相違するなら、前記別の送信先に映像ストリームを送信する場合のプロトコルにより前記画像を符号化する工程と、
前記資料表示サーバの映像ストリーム送信部が、前記送信先電話番号と前記操作用端末電話番号とが相違しないなら、前記操作用端末に映像ストリームを送信する場合のプロトコルによる画像の符号化により得られた映像ストリームを前記操作用端末に送信する一方、相違するなら、前記別の送信先に映像ストリームを送信する場合のプロトコルによる画像の符号化により得られた映像ストリームを前記別の送信先に送信する工程と
を備えることを特徴とする資料表示システムの動作方法。
【発明の詳細な説明】
【技術分野】
【０００１】
本発明は、資料表示サーバ、資料表示システムおよびその動作方法、ならびにコンピュータプログラムに関するものである。
【背景技術】
【０００２】
現在、数多くの文書や資料が電子的に作成され、各事業所に設置されたファイルサーバ等のパソコンやサーバ機器に収容されている。一般的に、この種の社内文書は、セキュリティ上の観点から、持ち出しが制限されていることが多い。そのため、社内のリモート側パソコン（ＰＣ）やファイルサーバに、外部からアクセスし制御する方法としては、Ｍｉｃｒｏｓｏｆｔ社がＷｉｎｄｏｗｓ（登録商標）  ＸＰ  ＯＳに実装しているリモートデスクトップ（非特許文献１参照）等を利用して、リモート側ＰＣのデスクトップ画面やハードディスク内の資料を操作端末の画面に表示させることで、外部の操作側ＰＣに表示させる方式（図１２参照）がある。
【０００３】
しかし、この方式では、リモート側、外部（操作側）の双方が、リモートデスクトップのアプリケーションを実装している必要があり、また、リモート側（例：社内網）のセキュリティを守るために設置されたファイアウォールに、リモートデスクトップ用の通信を通すため、特定のポートを開かなければならない等、セキュリティ上の問題点があった。また、外部の端末として、高機能なパソコンが必要であり、スマートフォンのような簡易情報端末を利用することはできないという問題点があった。また、ＰＣを持たずに外出した場合等、外出先の機器を借りなければ、リモート側の資料を見ることができないが、セキュリティ上、社外のパソコン等の借用が禁止されている場合等は、外部からリモートの資料を見ることができないという問題点があった。
【０００４】
また、その他の手段として、図１３のように、テレビ電話通信を用いて、外部の端末（テレビ電話ソフトをインストールしたパソコン等）に、資料画面を表示する方法がある。これは、リモート側および外部（操作側）双方で、テレビ電話ソフトを実装したパソコン（ＰＣ）を用いて、テレビ電話通信を行っている場合に、リモート側のＰＣで、目的の資料をＰＣ画面に表示させた上で、入力画像をカメラ映像の代わりに、当該リモート側ＰＣの画面に表示した資料画像と切り替えることで、当該電子化された資料の画像を外部の端末に表示させるという方式がある（例：非特許文献２）。
【０００５】
しかし、この方式もまた外部の端末として、高機能なパソコンが必要であり、スマートフォンのような簡易情報端末を利用することはできないという問題点があった。また、方式的に、操作用端末と表示用端末が同一のため、例えば、操作端末の表示画面が小さい場合、説明資料のような細かい字は十分に見えないという問題点、およびそのため閲覧時には、拡大／縮小操作が必要であり、その操作に手間がかかるという問題点があった。
【０００６】
そこで、上記の問題点を解決するため、ＩＰ技術を用いた電話網であるＮＧＮ網（フレッツ光ネクスト網等）  を介して、リモート側に設置されたパソコン内の資料やデスクトップ画面を、パソコン等の高機能端末を外部に持ち出すことなく、外部で借用の容易な一般的な端末（テレビ電話機）を用いて、リモート側の資料画像を外部へ表示可能とすることが望まれる（補足：通常、外部のパソコンの借用は、セキュリティ上の観点から困難な場合が多いと考えられるが、テレビ電話機であれば、電話機に類する通常の通信端末であり、借用も容易と考えられるため）。また、比較的、外部へ持ち出し可能なスマートフォン等の簡易情報端末を用いて、画面の大きな装置  にリモート側の資料画像を表示可能とすることが望まれる。
【先行技術文献】
【非特許文献】
【０００７】
【非特許文献１】Ｗｉｎｄｏｗｓ（登録商標）  ＸＰ  Ｐｒｏｆｅｓｓｉｏｎａｌ  機能別紹介  −  リモートデスクトップ、［ｏｎｌｉｎｅ］、  マイクロソフト、［平成２４年３月１日検索］、インターネット＜ＵＲＬ：ｈｔｔｐ：／／ｗｗｗ．ｍｉｃｒｏｓｏｆｔ．ｃｏｍ／ｊａｐａｎ／ｗｉｎｄｏｗｓ（登録商標）ｘｐ／ｐｒｏ／ｂｕｓｉｎｅｓｓ／ｆｅａｔｕｒｅ／ｒｅｍｏｔｅ／ｒｅｍｏｔｅｄｅｓｋｔｏｐ．ｍｓｐｘ＞
【非特許文献２】ビデオチャット  −  無料オンラインビデオ通話  −  ビデオ通話  −  ｓｋｙｐｅ、［ｏｎｌｉｎｅ］、［平成２４年３月１日検索］、インターネット＜ＵＲＬ：ｈｔｔｐ：／／ｗｗｗ．ｓｋｙｐｅ．ｃｏｍ／ｉｎｔｌ／ｊａ／ｆｅａｔｕｒｅｓ／ａｌｌｆｅａｔｕｒｅｓ／ｖｉｄｅｏ−ｃａｌｌ／＞
【発明の概要】
【発明が解決しようとする課題】
【０００８】
本発明は、上記の課題に鑑みてなされたものであり、その目的とするところは、セキュリティ上のリスクを低減できる資料表示サーバ、資料表示システムおよびその動作方法、ならびにコンピュータプログラムを提供することにある。
【課題を解決するための手段】
【０００９】
上記の課題を解決するために、第１の本発明は、資料データを記憶する資料データ記憶部と、テレビ電話機または携帯電話機である操作用端末から受信する呼制御信号により、前記操作用端末を示す操作用端末電話番号と前記操作用端末に映像ストリームを送信する場合のプロトコルを取得し、映像ストリームの別の送信先を示す送信先電話番号へ発呼し、当該別の送信先から受信する呼制御信号により、当該別の送信先に映像ストリームを送信する場合のプロトコルを取得する呼制御機能部と、前記操作用端末から受信する音声ストリームにより、前記送信先電話番号を取得する音声解析部と、前記送信先電話番号と前記操作用端末電話番号とが相違するか否かを判定し、相違するなら、前記呼制御機能部に対し、前記送信先電話番号への発呼を指示する表示先情報管理部と、前記操作用端末により指定された資料データを前記資料データ記憶部から読み出す資料読み出し機能部と、前記操作用端末により指定された当該資料データの中のページデータに対応する画像を取得する画像取得部と、前記送信先電話番号と前記操作用端末電話番号とが相違しないなら、前記操作用端末に映像ストリームを送信する場合のプロトコルにより前記画像を符号化する一方、相違するなら、前記別の送信先に映像ストリームを送信する場合のプロトコルにより前記画像を符号化する画像符号化部と、前記送信先電話番号と前記操作用端末電話番号とが相違しないなら、前記操作用端末に映像ストリームを送信する場合のプロトコルによる画像の符号化により得られた映像ストリームを前記操作用端末に送信する一方、相違するなら、前記別の送信先に映像ストリームを送信する場合のプロトコルによる画像の符号化により得られた映像ストリームを前記別の送信先に送信する映像ストリーム送信部とを備えることを特徴とする資料表示サーバをもって解決手段とする。
【００１２】
第２の本発明は、テレビ電話機または携帯電話機である操作用端末と資料表示サーバとを備える資料表示システムであって、前記資料表示サーバは、資料データを記憶する資料データ記憶部と、前記操作用端末から受信する呼制御信号により、前記操作用端末を示す操作用端末電話番号と前記操作用端末に映像ストリームを送信する場合のプロトコルを取得し、映像ストリームの別の送信先を示す送信先電話番号へ発呼し、当該別の送信先から受信する呼制御信号により、当該別の送信先に映像ストリームを送信する場合のプロトコルを取得する呼制御機能部と、前記操作用端末から受信する音声ストリームにより、前記送信先電話番号を取得する音声解析部と、前記送信先電話番号と前記操作用端末電話番号とが相違するか否かを判定し、相違するなら、前記呼制御機能部に対し、前記送信先電話番号への発呼を指示する表示先情報管理部と、前記操作用端末により指定された資料データを前記資料データ記憶部から読み出す資料読み出し機能部と、前記操作用端末により指定された当該資料データの中のページデータに対応する画像を取得する画像取得部と、前記送信先電話番号と前記操作用端末電話番号とが相違しないなら、前記操作用端末に映像ストリームを送信する場合のプロトコルにより前記画像を符号化する一方、相違するなら、前記別の送信先に映像ストリームを送信する場合のプロトコルにより前記画像を符号化する画像符号化部と、前記送信先電話番号と前記操作用端末電話番号とが相違しないなら、前記操作用端末に映像ストリームを送信する場合のプロトコルによる画像の符号化により得られた映像ストリームを前記操作用端末に送信する一方、相違するなら、前記別の送信先に映像ストリームを送信する場合のプロトコルによる画像の符号化により得られた映像ストリームを前記別の送信先に送信する映像ストリーム送信部とを備え、前記操作用端末は、前記映像ストリームの送信先を示す送信先電話番号の入力操作があったなら、当該送信先電話番号を前記資料表示サーバに送信することを特徴とする資料表示システムをもって解決手段とする。
【００１４】
第３の本発明は、テレビ電話機または携帯電話機である操作用端末と資料表示サーバとを備える資料表示システムの動作方法であって、前記資料表示サーバは、資料データを記憶する資料データ記憶部を備え、前記動作方法は、前記資料表示サーバの呼制御機能部が、前記操作用端末から受信する呼制御信号により、前記操作用端末を示す操作用端末電話番号と前記操作用端末に映像ストリームを送信する場合のプロトコルを取得する工程と、
前記資料表示サーバの音声解析部が、前記操作用端末から受信する音声ストリームにより、映像ストリームの別の送信先を示す送信先電話番号を取得する工程と、前記資料表示サーバの表示先情報管理部が、前記送信先電話番号と前記操作用端末電話番号とが相違するか否かを判定し、相違するなら、前記呼制御機能部に対し、前記送信先電話番号への発呼を指示する工程と、前記資料表示サーバの呼制御機能部が、当該送信先電話番号へ発呼し、当該別の送信先から受信する呼制御信号により、当該別の送信先に映像ストリームを送信する場合のプロトコルを取得する工程と、前記資料表示サーバの資料読み出し機能部が、前記操作用端末により指定された資料データを前記資料データ記憶部から読み出す工程と、前記資料表示サーバの画像取得部が、前記操作用端末により指定された当該資料データの中のページデータに対応する画像を取得する工程と、前記資料表示サーバの画像符号化部が、前記送信先電話番号と前記操作用端末電話番号とが相違しないなら、前記操作用端末に映像ストリームを送信する場合のプロトコルにより前記画像を符号化する一方、相違するなら、前記別の送信先に映像ストリームを送信する場合のプロトコルにより前記画像を符号化する工程と、前記資料表示サーバの映像ストリーム送信部が、前記送信先電話番号と前記操作用端末電話番号とが相違しないなら、前記操作用端末に映像ストリームを送信する場合のプロトコルによる画像の符号化により得られた映像ストリームを前記操作用端末に送信する一方、相違するなら、前記別の送信先に映像ストリームを送信する場合のプロトコルによる画像の符号化により得られた映像ストリームを前記別の送信先に送信する工程とを備えることを特徴とする資料表示システムの動作方法をもって解決手段とする。
【発明の効果】
【００１６】
本発明によれば、借用したテレビ電話機や携帯電話機に備わった音声ストリームの送信機能を使用して資料を見ることができ、つまり資料を見るのに、外出先にパーソナルコンピュータを持ち込み、パーソナルコンピュータ用にゲートウェイのポート設定やファイアウォールの設定を変更する必要がないので、セキュリティ上のリスクを低減することができる。
【図面の簡単な説明】
【００１７】
【図１】本実施の形態に係る資料表示サーバを含む資料表示システムの第１構成例を示す図である。
【図２】資料表示サーバ１の概略構成を示す機能ブロック図である。
【図３】資料表示サーバ１を含む第１構成例の通信システムでの動作方法を示すシーケンス図である。
【図４】本実施の形態に係る資料表示サーバを含む資料表示システムの第２構成例を示す図である。
【図５】資料表示サーバ１を含む第２構成例の通信システムでの動作方法を示すシーケンス図である。
【図６】図６（ａ）は、本実施の形態に係る資料表示サーバを含む資料表示システムの第３例を示す図であり、図６（ｂ）は、テレビ電話機３などに表示されるテレビ会議画面の例を示す図である。
【図７】資料表示サーバ１を含む第３構成例の通信システムでの動作方法を示すシーケンス図である。
【図８】本実施の形態に係る資料表示サーバを含む資料表示システムの第４構成例を示す図である。
【図９】資料表示サーバ１を含む第４構成例の通信システムでの動作方法を示すシーケンス図である。
【図１０】本実施の形態に係る資料表示サーバを含む資料表示システムの第５構成例を示す図である。
【図１１】資料表示サーバ１を含む第５構成例の通信システムでの動作方法を示すシーケンス図である。
【図１２】リモートデスクトップ機能を用いたリモート側ＰＣ画面の表示方法の例である。
【図１３】テレビ電話ソフトを用いたリモート側ＰＣ内の資料の表示方法の例である。
【発明を実施するための形態】
【００１８】
以下、本発明の実施の形態について図面を参照して説明する。
【００１９】
（第１構成例）
図１は、本実施の形態に係る資料表示サーバを含む資料表示システムの第１構成例を示す図である。
【００２０】
資料表示サーバ１は、ゲートウェイ（ＧＷ）を介して、通信ネットワークＮに接続される。ユーザＵは、パソコン等を持たずに外出し、外出先Ｌで借用したテレビ電話機である操作用端末２を使用する。操作用端末２は、別のゲートウェイ（ＧＷ）を介して、通信ネットワークＮに接続される。通信ネットワークＮは、ＩＰ技術を用いたフレッツ光ネクスト網などである。
【００２１】
図２は、資料表示サーバ１の概略構成を示す機能ブロック図である。
【００２２】
資料表示サーバ１は、ワードプロセッサや表計算ソフトなどで作成された資料データを記憶する資料データ記憶部１０１と、オペレータにとって必要な情報を表示するためのモニター装置１０２と、資料データを操作用端末２に表示させるための各ブロック、つまり制御部１０３、資料読み出し機能部１０４、メニュー画像生成部１０５、表示画像制御機能部１０６、呼制御機能部１０７、表示先情報管理部１０８、音声ストリーム受信部１０９、音声復号化部１１０、音声解析部１１１、画像取得部１１２、画像サイズ変換部１１３、画像符号化部１１４、映像ストリーム送信部１１５、デスクトップ画像取得部１１６、ならびに、図示しない音声ストリーム送信部および映像ストリーム受信部を備える。
【００２３】
音声解析部１１１は、例えば、ＤＴＭＦ（Ｄｕａｌ−Ｔｏｎｅ  Ｍｕｌｔｉ−Ｆｒｅｑｕｅｎｃｙ）と称される方式の音声ストリーム（ＰＢ信号などという）から符号（０から９までの数字と、＊、＃、Ａ、Ｂ、Ｃ、Ｄの記号の計１６種類の符号）を抽出するものである。
【００２４】
資料表示サーバ１は、例えば、パーソナルコンピュータ（ＰＣ）により構成され、これらのブロックは、オペレーティングシステム（ＯＳ）の制御の下で機能する。
【００２５】
図３は、資料表示サーバ１を含む第１構成例の通信システムでの動作方法を示すシーケンス図である。
【００２６】
操作用端末２は、ユーザＵにより資料表示サーバ１の電話番号が入力されると、ＳＩＰプロトコルにて発呼する（Ｓ１）。資料表示サーバ１は、ＳＩＰプロトコルにて応答する（Ｓ３）。
【００２７】
資料表示サーバ１では、このとき、呼制御機能部１０７が、操作用端末２から受信する呼制御信号により、操作用端末２を示す操作用端末電話番号を取得し（Ｓ５）、操作用端末電話番号を表示先情報管理部１０８に通知する。
【００２８】
また、呼制御機能部１０７は、呼制御信号により、操作用端末２における画面サイズおよび操作用端末２に映像ストリームを送信する場合のプロトコルを取得する（Ｓ７）。呼制御機能部１０７は、画面サイズを画像サイズ変換部１１３、プロトコルを映像ストリーム送信部１１５に通知する。
【００２９】
次に、表示画像制御機能部１０６が、メニュー画像生成部１０５により生成されたメニュー画像を読み出し、画像取得部１１２に送信する。
【００３０】
画像符号化部１１４は、メニュー画像を呼制御機能部１０７から通知された、操作用端末２の画面サイズにしたがって変換し、映像ストリーム送信部１１５は、変換後のメニュー画像を呼制御機能部１０７から通知された、操作用端末２に対応するプロトコルにしたがって符号化する。
【００３１】
次に、映像ストリーム送信部１１５が、符号化された映像ストリーム（メニュー画像）をＲＴＰパケット化し、操作用端末２に送信する（Ｓ９）。
【００３２】
操作用端末２は、ＲＴＰパケット化された映像ストリームを復号化し、メニュー画像を表示する（Ｓ１１）。
【００３３】
メニュー画像には、資料データにより生成される映像ストリームの送信先を示す送信先電話番号の入力操作を促す画像が含まれる。
【００３４】
第１構成例では、映像ストリームの送信先は操作用端末２なので、ユーザＵは、操作用端末２に対し、操作用端末２を示す送信先電話番号の入力操作を行う（Ｓ２１）。
【００３５】
操作用端末２は、送信先電話番号を示す音声ストリーム（例えば、ＰＢ信号）を資料表示サーバ１に送信する（Ｓ２３）。
【００３６】
資料表示サーバ１では、音声ストリーム受信部１０９が音声ストリームを受信し、音声ストリームから音声データを取り出し、音声復号化部１１０が、音声データを復号化する。
【００３７】
次に、音声解析部１１１が、復号化された音声データを解析し、送信先電話番号を取得する（Ｓ２５）。音声解析部１１１は、取得した送信先電話番号を表示先情報管理部１０８に通知する。
【００３８】
表示先情報管理部１０８は、呼制御機能部１０７から通知された操作用端末電話番号と音声解析部１１１から通知された送信先電話番号とが相違するか否かを判定する（Ｓ２７）。
【００３９】
ステップＳ２７では、操作用端末電話番号と送信先電話番号は同じなので、送信先電話番号への発呼は行われない。
【００４０】
次に、資料読み出し機能部１０４が、表示可能な資料一覧を示す資料一覧画像を生成し、表示画像制御機能部１０６が、資料一覧画像を読み出し、画像取得部１１２に送信する。
【００４１】
画像符号化部１１４は、資料一覧画像を呼制御機能部１０７から通知された、操作用端末２の画面サイズにしたがって変換し、映像ストリーム送信部１１５は、変換後の資料一覧画像を呼制御機能部１０７から通知された、操作用端末２に対応するプロトコルにしたがって符号化する。
【００４２】
次に、映像ストリーム送信部１１５が、符号化された映像ストリーム（資料一覧画像）をＲＴＰパケット化し、操作用端末２に送信する（Ｓ２９）。
【００４３】
操作用端末２は、ＲＴＰパケット化された映像ストリームを復号化し、資料一覧画像を表示する。
【００４４】
資料一覧画像には、所望の資料データを示す入力操作を促す画像が含まれる。ユーザＵは、操作用端末２に対し、所望の資料データを示す入力操作（数字キー入力など）を行う（Ｓ３１）。
【００４５】
操作用端末２は、所望の資料データを示す音声ストリーム（例えば、ＰＢ信号）を資料表示サーバ１に送信する（Ｓ３３）。
【００４６】
資料表示サーバ１では、音声ストリーム受信部１０９が音声ストリームを受信し、音声ストリームから音声データを取り出し、音声復号化部１１０が、音声データを復号化する。
【００４７】
次に、音声解析部１１１が、復号化された音声データを解析し、資料データ記憶部に記憶された複数の資料データの中のどの資料データを表示すべきかを判断する（Ｓ３５）。  次に、資料読み出し機能部１０４が、表示すべき資料データを資料データ記憶部１０１から読み出し、まず、資料データを構成する第１のページデータを示すページ画像（いわゆる第１ページ）を生成し、表示画像制御機能部１０６が、第１ページを読み出し、画像取得部１１２に送信する（Ｓ３７）。
【００４８】
画像符号化部１１４は、第１ページを呼制御機能部１０７から通知された、操作用端末２の画面サイズにしたがって変換し、映像ストリーム送信部１１５は、変換後の第１ページを呼制御機能部１０７から通知された、操作用端末２に対応するプロトコルにしたがって符号化する。
【００４９】
次に、映像ストリーム送信部１１５が、符号化された映像ストリーム（第１ページ）をＲＴＰパケット化し、操作用端末２に送信する（Ｓ３９）。
【００５０】
操作用端末２は、ＲＴＰパケット化された映像ストリームを復号化し、第１ページを表示する（Ｓ４１）。
【００５１】
ユーザＵは、操作用端末２に対し、第１ページとは異なる所望のページを表示させるための入力操作（ページ送り操作等）を行う（Ｓ４３）。
【００５２】
操作用端末２は、これにより、所望のページを示す音声ストリーム（例えば、ＰＢ信号）を資料表示サーバ１に送信する（Ｓ４５）。
【００５３】
資料表示サーバ１では、音声ストリーム受信部１０９が音声ストリームを受信し、音声ストリームから音声データを取り出し、音声復号化部１１０が、音声データを復号化する。
【００５４】
次に、音声解析部１１１が、復号化された音声データを解析し、資料データに含まれる複数のページデータの中のどのページデータを表示すべきかを判断する（Ｓ４７）。
【００５５】
次に、資料読み出し機能部１０４が、表示すべきページデータを示すページ画像（例えば、第２ページ）を生成し、表示画像制御機能部１０６が、ページ画像を読み出し、画像取得部１１２に送信する（Ｓ４９）。
【００５６】
画像符号化部１１４は、例えば第２ページを呼制御機能部１０７から通知された、操作用端末２の画面サイズにしたがって変換し、映像ストリーム送信部１１５は、変換後の例えば第２ページを呼制御機能部１０７から通知された、操作用端末２に対応するプロトコルにしたがって符号化する。
【００５７】
次に、映像ストリーム送信部１１５が、符号化された映像ストリーム（例えば、第２ページ）をＲＴＰパケット化し、操作用端末２に送信する（Ｓ５１）。
【００５８】
操作用端末２は、ＲＴＰパケット化された映像ストリームを復号化し、例えば第２ページを表示する（Ｓ５３）。
【００５９】
以下、同様にして、操作用端末２は入力操作による音声ストリームを資料表示サーバ１に送信する。資料表示サーバ１は、同様に、音声ストリームにより、どの資料データのどのページデータを表示すべきかを判断し、表示すべきページデータに基づく映像ストリームを操作用端末２に送信し、ページデータ（画像）を表示させる。
【００６０】
したがって、第１構成例によれば、資料表示サーバ１は、資料データを記憶する資料データ記憶部１０１と、テレビ電話機である操作用端末２から受信する音声ストリーム（Ｓ３３）により、資料データ記憶部１０１に記憶された複数の資料データの中のどの資料データを表示すべきかを判断し（Ｓ３５）、操作用端末２から受信する音声ストリーム（Ｓ４３）により、表示すべき資料データに含まれる複数のページデータの中のどのページデータを表示すべきかを判断する（Ｓ４７）音声解析部１１１と、表示すべき資料データを資料データ記憶部１０１から読み出す（Ｓ３７）資料読み出し機能部１０４と、表示すべきページデータに対応する画像（第１ページ、第２ページなど）を取得する（Ｓ４９）画像取得部１１２と、取得された画像に基づく映像ストリームを操作用端末２に送信する映像ストリーム送信部１１５とを備える。
【００６１】
これにより、借用したテレビ電話機である操作用端末２に備わった音声ストリームの送信機能を使用して資料を見ることができ、つまり資料を見るのに、外出先にパーソナルコンピュータを持ち込み、パーソナルコンピュータ用にゲートウェイのポート設定やファイアウォールの設定を変更する必要がないので、セキュリティ上のリスクを低減することができる。
【００６２】
つまり、（ア）資料やメニューの画像、および、それらを選択するための制御信号の送受信は、すべて、操作用端末２（テレビ電話機）の制御信号（ＳＩＰ）や、テレビ電話機の音声を通じて行われるため、操作用端末２側、資料表示サーバ１双方のネットワークのファイアウォールは、テレビ電話が通常利用するプロトコル（ポート）を通すように設定されていればよく、リモートデスクトップでみられるような、専用プロトコルを通す設定が不要となる。これにより、ファイアウォール設定の手間が省け、かつ、ポートを開けることによるセキュリティ上のリスクを低減できる。
【００６３】
また、（イ）操作用端末２を外出先で借用する場合、リモートデスクトップやテレビ電話ソフトを実装したＰＣのようにＰＣを借用せずとも、テレビ電話機を借用することで足りる。これにより、近年企業などで実施されているセキュリティ上のルール（社内ＰＣの部外者貸出禁止、社内ＰＣの外部ＮＷ接続禁止など）を破ることなく、借用が容易である。
【００６４】
また、資料表示サーバ１は、操作用端末２から受信する呼制御信号により、操作用端末２における画面サイズおよび操作用端末２に映像ストリームを送信する場合のプロトコルを取得する（Ｓ５）呼制御機能部１０７と、表示すべきページデータに対応する画像のサイズを画面サイズにしたがって変換する画像サイズ変換部１１３と、変換後の画像をプロトコルにしたがって符号化する画像符号化部１１４とを備えるので、どのような画面サイズやプロトコルに対応する操作用端末２でも資料を見ることができる。
【００６５】
つまり、資料の表示画像を、操作用端末２（テレビ電話機）に適した解像度で表示することができる。
【００６６】
（第２構成例）
図４は、本実施の形態に係る資料表示サーバを含む資料表示システムの第２構成例を示す図である。
【００６７】
資料表示サーバ１は、ゲートウェイ（ＧＷ）を介して、通信ネットワークＮに接続される。ユーザＵは、パソコン等を持たずに外出し、持参した携帯電話機（例えばスマートフォンと称されるもの。以下同じ）である操作用端末２と、外出先Ｌで借用したテレビ電話機３を使用する。操作用端末２およびテレビ電話機３は、別のゲートウェイ（ＧＷ）を介して、通信ネットワークＮに接続される。
【００６８】
図５は、資料表示サーバ１を含む第２構成例の通信システムでの動作方法を示すシーケンス図である。
【００６９】
ステップＳ１〜Ｓ１１までのシーケンスは、図３と同じなので、説明を省略する。
【００７０】
第２構成例では、映像ストリームの送信先はテレビ電話機３なので、ユーザＵは、操作用端末２に対し、テレビ電話機３を示す送信先電話番号の入力操作を行う（Ｓ２１）。
【００７１】
ステップＳ２３〜Ｓ２７までのシーケンスは、図３と同じなので、説明を省略する。
【００７２】
ステップＳ２７では、操作用端末電話番号と送信先電話番号とが相違するので、表示先情報管理部１０８は、呼制御機能部１０７に対し、送信先電話番号への発呼を指示する。
【００７３】
呼制御機能部１０７は、送信先電話番号へＳＩＰプロトコルにて発呼する（Ｓ６１）。発呼先のテレビ電話機３は、ＳＩＰプロトコルにて応答する（Ｓ６３）。
【００７４】
資料表示サーバ１では、このとき、呼制御機能部１０７は、呼制御信号により、テレビ電話機３における画面サイズおよびテレビ電話機３に映像ストリームを送信する場合のプロトコルを取得する（Ｓ６５）。呼制御機能部１０７は、画面サイズを画像サイズ変換部１１３、プロトコルを映像ストリーム送信部１１５に通知する。
【００７５】
次に、資料読み出し機能部１０４が、表示可能な資料一覧を示す資料一覧画像を生成し、表示画像制御機能部１０６が、資料一覧画像を読み出し、画像取得部１１２に送信する（Ｓ６７）。
【００７６】
画像符号化部１１４は、資料一覧画像を呼制御機能部１０７から通知された、操作用端末２の画面サイズにしたがって変換し、映像ストリーム送信部１１５は、変換後の資料一覧画像を呼制御機能部１０７から通知された、操作用端末２に対応するプロトコルにしたがって符号化する。
【００７７】
次に、映像ストリーム送信部１１５が、符号化された映像ストリーム（資料一覧画像）をＲＴＰパケット化し、操作用端末２に送信する（Ｓ６９）。
【００７８】
操作用端末２は、ＲＴＰパケット化された映像ストリームを復号化し、資料一覧画像を表示する。
【００７９】
資料一覧画像には、所望の資料データを示す入力操作を促す画像が含まれる。ユーザＵは、操作用端末２に対し、所望の資料データを示す入力操作（数字キー入力など）を行う（Ｓ７１）。
【００８０】
操作用端末２は、所望の資料データを示す音声ストリーム（例えば、ＰＢ信号）を資料表示サーバ１に送信する（Ｓ７３）。
【００８１】
資料表示サーバ１では、音声ストリーム受信部１０９が音声ストリームを受信し、音声ストリームから音声データを取り出し、音声復号化部１１０が、音声データを復号化する。
【００８２】
次に、音声解析部１１１が、復号化された音声データを解析し、資料データ記憶部に記憶された複数の資料データの中のどの資料データを表示すべきかを判断する（Ｓ７５）。
【００８３】
次に、資料読み出し機能部１０４が、表示すべき資料データを資料データ記憶部１０１から読み出し、まず、資料データを構成する第１のページデータを示すページ画像（いわゆる第１ページ）を生成し、表示画像制御機能部１０６が、第１ページを読み出し、画像取得部１１２に送信する（Ｓ７７）。
【００８４】
画像符号化部１１４は、第１ページを呼制御機能部１０７から通知された、テレビ電話機３の画面サイズにしたがって変換し、映像ストリーム送信部１１５は、変換後の第１ページを呼制御機能部１０７から通知された、テレビ電話機３に対応するプロトコルにしたがって符号化する。
【００８５】
次に、映像ストリーム送信部１１５が、符号化された映像ストリーム（第１ページ）をＲＴＰパケット化し、テレビ電話機３に送信する（Ｓ７９）。
【００８６】
テレビ電話機３は、ＲＴＰパケット化された映像ストリームを復号化し、第１ページを表示する（Ｓ８１）。
【００８７】
なお、第２構成例では、第１構成例などと同様に、操作用端末２は所望のページを表示させるための入力操作（図３のステップＳ４３）による音声ストリームを資料表示サーバ１に送信する。資料表示サーバ１は、同様に、音声ストリームにより、どの資料データのどのページデータを表示すべきかを判断し（Ｓ４７）、表示すべきページデータに基づく映像ストリームを、第２構成例ではテレビ電話機３に送信し、これにより、テレビ電話機３に所望のページが表示される。
【００８８】
したがって、第２構成例によれば、資料表示サーバ１は、資料データを記憶する資料データ記憶部１０１と、携帯電話機である操作用端末２から受信する音声ストリーム（Ｓ７３）により、資料データ記憶部１０１に記憶された複数の資料データの中のどの資料データを表示すべきかを判断し（Ｓ７５）、操作用端末２から受信する音声ストリームにより、表示すべき資料データに含まれる複数のページデータの中のどのページデータを表示すべきかを判断する音声解析部１１１と、表示すべき資料データを資料データ記憶部１０１から読み出す（Ｓ７７）資料読み出し機能部１０４と、表示すべきページデータに対応する画像（第１ページ、第２ページなど）を取得する画像取得部１１２と、取得された画像に基づく映像ストリームを操作用端末２に送信する映像ストリーム送信部１１５とを備える。
【００８９】
また、音声解析部１１１は、操作用端末２から受信する音声ストリームにより（Ｓ２３）、操作用端末２または別の送信先を示す送信先電話番号を取得するものであり、資料表示サーバ１は、操作用端末２から受信する呼制御信号により、操作用端末２を示す操作用端末電話番号を取得する（Ｓ５）呼制御機能部１０７と、送信先電話番号と操作用端末電話番号とが相違するか否かを判定し、相違するなら、呼制御機能部１０７に対し、送信先電話番号への発呼を指示する表示先情報管理部１０８とを備える。
【００９０】
これにより、携帯電話機である操作用端末２に備わった音声ストリームの送信機能を使用し、借用したテレビ電話機３において資料を見ることができ、つまり資料を見るのに、外出先にパーソナルコンピュータを持ち込み、パーソナルコンピュータ用にゲートウェイのポート設定やファイアウォールの設定を変更する必要がないので、セキュリティ上のリスクを低減することができる。
【００９１】
第２構成例のメリットとしては、表示装置として、画面の大きいテレビ電話機３を利用できるということの他に、第１構成例の場合には、借用したテレビ電話機である操作用端末２から発呼しているため、操作用端末２の所有者に通話料金が課金されてしまうのに対し、第２構成例では、携帯電話機である操作用端末２から発呼し、借用したテレビ電話機３が着信しているので、借用したテレビ電話機３に通話料金が課金されない、というメリットがある。
【００９２】
また、表示される画像の制御を操作用端末２（携帯電話機）で行い、実際の画像表示をテレビ電話機３で行うことによって、操作に慣れた携帯電話機を使って、携帯電話機より大きな画面であるテレビ電話機３での表示を制御できる。
【００９３】
また、資料表示サーバ１は、テレビ電話機３から受信する呼制御信号により、テレビ電話機３における画面サイズおよびテレビ電話機３に映像ストリームを送信する場合のプロトコルを取得する（Ｓ６５）呼制御機能部１０７と、表示すべきページデータに対応する画像のサイズを画面サイズにしたがって変換する画像サイズ変換部１１３と、変換後の画像をプロトコルにしたがって符号化する画像符号化部１１４とを備えるので、どのような画面サイズやプロトコルに対応するテレビ電話機３でも資料を見ることができる。
【００９４】
つまり、資料の表示画像を、テレビ電話機３に適した解像度で表示することができる。
【００９５】
（第３構成例）
図６（ａ）は、本実施の形態に係る資料表示サーバを含む資料表示システムの第３例を示す図であり、図６（ｂ）は、テレビ電話機３などに表示されるテレビ会議画面の例を示す図である。
【００９６】
資料表示サーバ１は、ゲートウェイ（ＧＷ）を介して、通信ネットワークＮに接続される。資料表示サーバ１に記憶された資料データを見ようとするユーザＵは、パソコン等を持たずに外出し、持参した携帯電話機である操作用端末２と、外出先Ｌで借用したテレビ電話機３を使用する。操作用端末２およびテレビ電話機３は、別のゲートウェイ（ＧＷ）を介して、通信ネットワークＮに接続される。
【００９７】
また、場所Ｌ１では、別のユーザＵ１がテレビ電話機３１を使用する。テレビ電話機３１は、別のゲートウェイ（ＧＷ）を介して、通信ネットワークＮに接続される。また、場所Ｌ２では、別のユーザＵ２がテレビ電話機３２を使用する。テレビ電話機３２は、別のゲートウェイ（ＧＷ）を介して、通信ネットワークＮに接続される。また、場所Ｌ３には多地点会議装置４が設けられている。多地点会議装置４は、別のゲートウェイ（ＧＷ）を介して、通信ネットワークＮに接続される。
【００９８】
テレビ電話機３などに表示されるテレビ会議画面は、ユーザＵ、Ｕ１、Ｕ２を表示する領域および資料を表示する領域Ｍとで構成される。テレビ会議画面は、テレビ電話機３１、３２にも表示される。
【００９９】
図７は、資料表示サーバ１を含む第３構成例の通信システムでの動作方法を示すシーケンス図である。
【０１００】
ステップＳ１〜Ｓ１１までのシーケンスは、図３と同じなので、説明を省略する。
【０１０１】
第３構成例では、映像ストリームの送信先は多地点会議装置４なので、ユーザＵは、操作用端末２に対し、多地点会議装置４を示す送信先電話番号の入力操作を行う（Ｓ２１）。
【０１０２】
ステップＳ２３〜Ｓ２７までのシーケンスは、図３と同じなので、説明を省略する。
【０１０３】
ステップＳ２７では、操作用端末電話番号と送信先電話番号とが相違するので、表示先情報管理部１０８は、呼制御機能部１０７に対し、送信先電話番号への発呼を指示する。  呼制御機能部１０７は、送信先電話番号へＳＩＰプロトコルにて発呼する（Ｓ９１）。発呼先の多地点会議装置４は、ＳＩＰプロトコルにて応答する（Ｓ９３）。
【０１０４】
資料表示サーバ１では、このとき、呼制御機能部１０７は、呼制御信号により、多地点会議装置４における画面サイズおよび多地点会議装置４に映像ストリームを送信する場合のプロトコルを取得する（Ｓ９５）。呼制御機能部１０７は、画面サイズを画像サイズ変換部１１３、プロトコルを映像ストリーム送信部１１５に通知する。
【０１０５】
次に、資料読み出し機能部１０４が、表示可能な資料一覧を示す資料一覧画像を生成し、表示画像制御機能部１０６が、資料一覧画像を読み出し、画像取得部１１２に送信する（Ｓ９７）。
【０１０６】
画像符号化部１１４は、資料一覧画像を呼制御機能部１０７から通知された、操作用端末２の画面サイズにしたがって変換し、映像ストリーム送信部１１５は、変換後の資料一覧画像を呼制御機能部１０７から通知された、操作用端末２に対応するプロトコルにしたがって符号化する。
【０１０７】
次に、映像ストリーム送信部１１５が、符号化された映像ストリーム（資料一覧画像）をＲＴＰパケット化し、操作用端末２に送信する（Ｓ９９）。
【０１０８】
操作用端末２は、ＲＴＰパケット化された映像ストリームを復号化し、資料一覧画像を表示する。
【０１０９】
資料一覧画像には、所望の資料データを示す入力操作を促す画像が含まれる。ユーザＵは、操作用端末２に対し、所望の資料データを示す入力操作（数字キー入力など）を行う（Ｓ１０１）。
【０１１０】
操作用端末２は、所望の資料データを示す音声ストリーム（例えば、ＰＢ信号）を資料表示サーバ１に送信する（Ｓ１０３）。
【０１１１】
資料表示サーバ１では、音声ストリーム受信部１０９が音声ストリームを受信し、音声ストリームから音声データを取り出し、音声復号化部１１０が、音声データを復号化する。
【０１１２】
次に、音声解析部１１１が、復号化された音声データを解析し、資料データ記憶部に記憶された複数の資料データの中のどの資料データを表示すべきかを判断する（Ｓ１０５）。
【０１１３】
次に、資料読み出し機能部１０４が、表示すべき資料データを資料データ記憶部１０１から読み出し、まず、資料データを構成する第１のページデータを示すページ画像（いわゆる第１ページ）を生成し、表示画像制御機能部１０６が、第１ページを読み出し、画像取得部１１２に送信する（Ｓ１０７）。
【０１１４】
画像符号化部１１４は、第１ページを呼制御機能部１０７から通知された、多地点会議装置４の画面サイズにしたがって変換し、映像ストリーム送信部１１５は、変換後の第１ページを呼制御機能部１０７から通知された、多地点会議装置４に対応するプロトコルにしたがって符号化する。
【０１１５】
次に、映像ストリーム送信部１１５が、符号化された映像ストリーム（第１ページ）をＲＴＰパケット化し、多地点会議装置４に送信する（Ｓ１０９）。
【０１１６】
多地点会議装置４は、ＲＴＰパケット化された映像ストリームを復号化し、第１ページを表示する（Ｓ１１１）。
【０１１７】
例えば、テレビ電話機３は、ユーザＵにより多地点会議装置４を示す電話番号の入力操作があると（Ｓ１１１）、ＳＩＰプロトコルにて発呼する（Ｓ１２３）。多地点会議装置４は、ＳＩＰプロトコルにて応答する（Ｓ１２５）。
【０１１８】
多地点会議装置４は、ステップＳ１１１で表示した第１ページを含むテレビ会議画面の映像ストリームをＲＴＰパケット化し、テレビ電話機３に送信する（Ｓ１２７）。
【０１１９】
テレビ電話機３は、ＲＴＰパケット化された映像ストリームを復号化し、テレビ会議画面を表示する（Ｓ１２９）。
【０１２０】
なお、多地点会議装置４は、テレビ電話機３１、３２についても、テレビ電話機３と同様に、テレビ会議画面の映像ストリームを送信し、テレビ会議画面を表示させる。
【０１２１】
この場合、図６（ｂ）に示すように、テレビ会議画面は、ユーザＵ、Ｕ１、Ｕ２を表示する領域および資料を表示する領域Ｍとで構成される。
【０１２２】
また、第３構成例では、第１、２構成例などと同様に、操作用端末２は所望のページを表示させるための入力操作（図３のステップＳ４３）による音声ストリームを資料表示サーバ１に送信する。資料表示サーバ１は、同様に、音声ストリームにより、どの資料データのどのページデータを表示すべきかを判断し（Ｓ４７）、表示すべきページデータに基づく映像ストリームを、第３構成例では多地点会議装置４に送信し、これにより、テレビ電話機３、３１、３２に所望のページが表示される。
【０１２３】
したがって、第３構成例によれば、資料表示サーバ１は、資料データを記憶する資料データ記憶部１０１と、携帯電話機である操作用端末２から受信する音声ストリーム（Ｓ１０３）により、資料データ記憶部１０１に記憶された複数の資料データの中のどの資料データを表示すべきかを判断し（Ｓ１０５）、操作用端末２から受信する音声ストリームにより、表示すべき資料データに含まれる複数のページデータの中のどのページデータを表示すべきかを判断する音声解析部１１１と、表示すべき資料データを資料データ記憶部１０１から読み出す（Ｓ１０７）資料読み出し機能部１０４と、表示すべきページデータに対応する画像（第１ページ、第２ページなど）を取得する画像取得部１１２と、取得された画像に基づく映像ストリームを操作用端末２に送信する映像ストリーム送信部１１５とを備える。
【０１２４】
また、音声解析部１１１は、操作用端末２から受信する音声ストリームにより（Ｓ２３）、操作用端末２または別の送信先を示す送信先電話番号を取得するものであり、資料表示サーバ１は、操作用端末２から受信する呼制御信号により、操作用端末２を示す操作用端末電話番号を取得する（Ｓ５）呼制御機能部１０７と、送信先電話番号と操作用端末電話番号とが相違するか否かを判定し、相違するなら、呼制御機能部１０７に対し、送信先電話番号への発呼を指示する表示先情報管理部１０８とを備える。
【０１２５】
これにより、携帯電話機である操作用端末２に備わった音声ストリームの送信機能を使用し、借用したテレビ電話機３において資料を見ることができ、また、他のユーザも資料を見ることができる。つまり資料を見るのに、外出先にパーソナルコンピュータを持ち込み、パーソナルコンピュータ用にゲートウェイのポート設定やファイアウォールの設定を変更する必要がないので、セキュリティ上のリスクを低減することができる。
【０１２６】
また、資料表示サーバ１は、多地点会議装置４から受信する呼制御信号により、多地点会議装置４における画面サイズおよび操作用端末２に映像ストリームを送信する場合のプロトコルを取得する（Ｓ９５）呼制御機能部１０７と、表示すべきページデータに対応する画像のサイズを画面サイズにしたがって変換する画像サイズ変換部１１３と、変換後の画像をプロトコルにしたがって符号化する画像符号化部１１４とを備えるので、どのような画面サイズやプロトコルに対応する多地点会議装置４およびテレビ電話機３等でも資料を見ることができる。
【０１２７】
つまり、資料の表示画像を、多地点会議装置４、テレビ電話機３等に適した解像度で表示することができる。
【０１２８】
（第４構成例）
図８は、本実施の形態に係る資料表示サーバを含む資料表示システムの第４構成例を示す図である。
【０１２９】
資料表示サーバ１は、ゲートウェイ（ＧＷ）を介して、通信ネットワークＮに接続される。資料表示サーバ１に記憶された資料データを見ようとするユーザＵは、パソコン等を持たずに外出し、外出先Ｌで借用したテレビ電話機である操作用端末２を使用する。操作用端末２は、別のゲートウェイ（ＧＷ）を介して、通信ネットワークＮに接続される。
【０１３０】
また、場所Ｌ１では、別のユーザＵ１がテレビ電話機３を使用する。テレビ電話機３は、別のゲートウェイ（ＧＷ）を介して、通信ネットワークＮに接続される。
【０１３１】
図９は、資料表示サーバ１を含む第４構成例の通信システムでの動作方法を示すシーケンス図である。
【０１３２】
ステップＳ１〜Ｓ１１までのシーケンスは、図３と同じなので、説明を省略する。
【０１３３】
第４構成例では、映像ストリームの送信先は操作用端末２とテレビ電話機３なので、ユーザＵは、操作用端末２に対し、操作用端末２を示す送信先電話番号とテレビ電話機３を示す送信先電話番号の入力操作を行う（Ｓ２１）。
【０１３４】
操作用端末２は、２つの送信先電話番号を示す音声ストリーム（例えば、ＰＢ信号）を資料表示サーバ１に送信する（Ｓ２３）。
【０１３５】
資料表示サーバ１では、音声ストリーム受信部１０９が音声ストリームを受信し、音声ストリームから音声データを取り出し、音声復号化部１１０が、音声データを復号化する。
【０１３６】
次に、音声解析部１１１が、復号化された音声データを解析し、２つの送信先電話番号を取得する（Ｓ２５）。音声解析部１１１は、取得した２つの送信先電話番号を表示先情報管理部１０８に通知する。
【０１３７】
表示先情報管理部１０８は、呼制御機能部１０７から通知された操作用端末電話番号と音声解析部１１１から通知された各送信先電話番号とが相違するか否かを判定する（Ｓ２７）。
【０１３８】
ステップＳ２７では、操作用端末電話番号と一方の送信先電話番号は同じなので、送信先電話番号への発呼は行われない。
【０１３９】
しかし、操作用端末電話番号と他方の送信先電話番号とが相違するので、表示先情報管理部１０８は、呼制御機能部１０７に対し、その送信先電話番号への発呼を指示する。
【０１４０】
呼制御機能部１０７は、送信先電話番号へＳＩＰプロトコルにて発呼する（Ｓ１３１）。発呼先のテレビ電話機３１は、ＳＩＰプロトコルにて応答する（Ｓ１３３）。
【０１４１】
資料表示サーバ１では、このとき、呼制御機能部１０７は、呼制御信号により、テレビ電話機３における画面サイズおよびテレビ電話機３に映像ストリームを送信する場合のプロトコルを取得する（Ｓ１３５）。呼制御機能部１０７は、画面サイズを画像サイズ変換部１１３、プロトコルを映像ストリーム送信部１１５に通知する。
【０１４２】
次に、資料読み出し機能部１０４が、表示可能な資料一覧を示す資料一覧画像を生成し、表示画像制御機能部１０６が、資料一覧画像を読み出し、画像取得部１１２に送信する（Ｓ１３７）。
【０１４３】
画像符号化部１１４は、資料一覧画像を呼制御機能部１０７から通知された、操作用端末２の画面サイズにしたがって変換し、映像ストリーム送信部１１５は、変換後の資料一覧画像を呼制御機能部１０７から通知された、操作用端末２に対応するプロトコルにしたがって符号化する。
【０１４４】
次に、映像ストリーム送信部１１５が、符号化された映像ストリーム（資料一覧画像）をＲＴＰパケット化し、操作用端末２に送信する（Ｓ１３９）。
【０１４５】
操作用端末２は、ＲＴＰパケット化された映像ストリームを復号化し、資料一覧画像を表示する。
【０１４６】
資料一覧画像には、所望の資料データを示す入力操作を促す画像が含まれる。ユーザＵは、操作用端末２に対し、所望の資料データを示す入力操作（数字キー入力など）を行う（Ｓ１４１）。
【０１４７】
操作用端末２は、所望の資料データを示す音声ストリーム（例えば、ＰＢ信号）を資料表示サーバ１に送信する（Ｓ１４３）。
【０１４８】
資料表示サーバ１では、音声ストリーム受信部１０９が音声ストリームを受信し、音声ストリームから音声データを取り出し、音声復号化部１１０が、音声データを復号化する。
【０１４９】
次に、音声解析部１１１が、復号化された音声データを解析し、資料データ記憶部に記憶された複数の資料データの中のどの資料データを表示すべきかを判断する（Ｓ１４５）。
【０１５０】
次に、資料読み出し機能部１０４が、表示すべき資料データを資料データ記憶部１０１から読み出し、まず、資料データを構成する第１のページデータを示すページ画像（いわゆる第１ページ）を生成し、表示画像制御機能部１０６が、第１ページを読み出し、画像取得部１１２に送信する（Ｓ１４７）。
【０１５１】
画像符号化部１１４は、第１ページを呼制御機能部１０７から通知された、操作用端末２、テレビ電話機３それぞれの画面サイズにしたがって変換し、映像ストリーム送信部１１５は、変換後の第１ページを呼制御機能部１０７から通知された、操作用端末２、テレビ電話機３それぞれに対応するプロトコルにしたがって符号化する。
【０１５２】
次に、映像ストリーム送信部１１５が、操作用端末２に対応するプロトコルにしたがって符号化された映像ストリームをＲＴＰパケット化し、操作用端末２に送信する（Ｓ１４９）。
【０１５３】
操作用端末２は、ＲＴＰパケット化された映像ストリームを復号化し、第１ページを表示する（Ｓ１５１）。
【０１５４】
また、映像ストリーム送信部１１５が、テレビ電話機３に対応するプロトコルにしたがって符号化された映像ストリームをＲＴＰパケット化し、テレビ電話機３に送信する（Ｓ１５３）。
【０１５５】
テレビ電話機３は、ＲＴＰパケット化された映像ストリームを復号化し、第１ページを表示する（Ｓ１５５）。
【０１５６】
なお、第４構成例では、第１構成例などと同様に、操作用端末２は所望のページを表示させるための入力操作（図３のステップＳ４３）による音声ストリームを資料表示サーバ１に送信する。資料表示サーバ１は、同様に、音声ストリームにより、どの資料データのどのページデータを表示すべきかを判断し（Ｓ４７）、表示すべきページデータに基づく映像ストリームを、第４構成例では操作用端末２とテレビ電話機３に送信し、これにより、操作用端末２とテレビ電話機３に所望のページが表示される。
【０１５７】
したがって、第４構成例によれば、資料表示サーバ１は、資料データを記憶する資料データ記憶部１０１と、携帯電話機である操作用端末２から受信する音声ストリーム（Ｓ１４３）により、資料データ記憶部１０１に記憶された複数の資料データの中のどの資料データを表示すべきかを判断し（Ｓ１４５）、操作用端末２から受信する音声ストリームにより、表示すべき資料データに含まれる複数のページデータの中のどのページデータを表示すべきかを判断する音声解析部１１１と、表示すべき資料データを資料データ記憶部１０１から読み出す（Ｓ１４７）資料読み出し機能部１０４と、表示すべきページデータに対応する画像（第１ページ、第２ページなど）を取得する画像取得部１１２と、取得された画像に基づく映像ストリームを操作用端末２に送信する映像ストリーム送信部１１５とを備える。
【０１５８】
また、音声解析部１１１は、操作用端末２から受信する音声ストリームにより（Ｓ２３）、操作用端末２または別の送信先を示す送信先電話番号を取得するものであり、資料表示サーバ１は、操作用端末２から受信する呼制御信号により、操作用端末２を示す操作用端末電話番号を取得する（Ｓ５）呼制御機能部１０７と、送信先電話番号と操作用端末電話番号とが相違するか否かを判定し、相違するなら、呼制御機能部１０７に対し、送信先電話番号への発呼を指示する表示先情報管理部１０８とを備える。
【０１５９】
これにより、借用したテレビ電話機である操作用端末２に備わった音声ストリームの送信機能を使用して資料を見ることができ、また、他のユーザも資料を見ることができる。つまり資料を見るのに、外出先にパーソナルコンピュータを持ち込み、パーソナルコンピュータ用にゲートウェイのポート設定やファイアウォールの設定を変更する必要がないので、セキュリティ上のリスクを低減することができる。
【０１６０】
また、資料表示サーバ１は、操作用端末２、テレビ電話機３から受信する呼制御信号により、操作用端末２、テレビ電話機３における画面サイズおよび操作用端末２、テレビ電話機３に映像ストリームを送信する場合のプロトコルを取得する（Ｓ５、Ｓ１３５）呼制御機能部１０７と、表示すべきページデータに対応する画像のサイズを画面サイズにしたがって変換する画像サイズ変換部１１３と、変換後の画像をプロトコルにしたがって符号化する画像符号化部１１４とを備えるので、どのような画面サイズやプロトコルに対応する操作用端末２、テレビ電話機３でも資料を見ることができる。
【０１６１】
つまり、資料の表示画像を、操作用端末２、テレビ電話機３に適した解像度で表示することができる。
【０１６２】
（第５構成例）
図１０は、本実施の形態に係る資料表示サーバを含む資料表示システムの第５構成例を示す図である。
【０１６３】
資料表示サーバ１は、ゲートウェイ（ＧＷ）を介して、通信ネットワークＮに接続される。例えば、パーソナルコンピュータＰＣのユーザＵは、パーソナルコンピュータＰＣをネットワークに接続できないので、自宅Ｈのテレビ電話機である操作用端末２を使用して、資料表示サーバ１のあるサポートセンタＳＰのオペレータＯＰと会話し、ネットワークへの接続方法を問い合わせようとしている。
【０１６４】
図１１は、資料表示サーバ１を含む第５構成例の通信システムでの動作方法を示すシーケンス図である。
【０１６５】
ステップＳ１〜Ｓ２７（操作用端末電話番号と送信先電話番号は同じなので、送信先電話番号への発呼は行われない。）までのシーケンスは、図３と同様なので、説明を省略する。
【０１６６】
次に、表示画像制御機能部１０６は、ユーザＵがパーソナルコンピュータのマニュアルなどの資料の画像や資料表示サーバ１のデスクトップ画像のどの画像の表示を希望するかを選択するための選択用画像を生成し、画像取得部１１２に送信する。
【０１６７】
画像符号化部１１４は、選択用画像を呼制御機能部１０７から通知された、操作用端末２の画面サイズにしたがって変換し、映像ストリーム送信部１１５は、変換後の選択用画像を呼制御機能部１０７から通知された、操作用端末２に対応するプロトコルにしたがって符号化する。
【０１６８】
次に、映像ストリーム送信部１１５が、符号化された映像ストリーム（選択用画像）をＲＴＰパケット化し、操作用端末２に送信する（Ｓ１６１）。
【０１６９】
操作用端末２は、ＲＴＰパケット化された映像ストリームを復号化し、選択用画像を表示する。
【０１７０】
ユーザＵは、操作用端末２に対し、デスクトップ画像の表示を希望する旨の入力操作を行う（Ｓ１６３）。
【０１７１】
操作用端末２は、デスクトップ画像の表示を希望する旨音声ストリーム（例えば、ＰＢ信号）を資料表示サーバ１に送信する（Ｓ１６５）。
【０１７２】
資料表示サーバ１では、音声ストリーム受信部１０９が音声ストリームを受信し、音声ストリームから音声データを取り出し、音声復号化部１１０が、音声データを復号化する。
【０１７３】
次に、音声解析部１１１が、復号化された音声データを解析し、テレビ電話機３に対し、資料表示サーバ１のデスクトップ画像を表示すべきと判断する（Ｓ１６７）。
【０１７４】
次に、デスクトップ画像取得部１１６が、資料表示サーバ１のデスクトップ画像を取得し、表示画像制御機能部１０６が、デスクトップ画像を、画像取得部１１２に送信する（Ｓ１６９）。
【０１７５】
画像符号化部１１４は、デスクトップ画像を呼制御機能部１０７から通知された、操作用端末２の画面サイズにしたがって変換し、映像ストリーム送信部１１５は、変換後のデスクトップ画像を呼制御機能部１０７から通知された、操作用端末２に対応するプロトコルにしたがって符号化する。
【０１７６】
次に、映像ストリーム送信部１１５が、符号化された映像ストリームをＲＴＰパケット化し、操作用端末２に送信する（Ｓ１７１）。
【０１７７】
操作用端末２は、ＲＴＰパケット化された映像ストリームを復号化し、デスクトップ画像を表示する（Ｓ１７１）。
【０１７８】
資料表示サーバ１、操作用端末２では、ユーザＵとオペレータＯＰの会話に関する音声ストリームを送受信する（Ｓ１８１）。
【０１７９】
オペレータＯＰが、資料表示サーバ１を操作し（Ｓ１８３）、デスクトップ画像が変化すると、前述のように、資料表示サーバ１は、今度は変化後のデスクトップ画像に対応する映像ストリームを操作用端末２に送信する（Ｓ１８５）。
【０１８０】
操作用端末２は、映像ストリームを復号化し、変化後のデスクトップ画像を表示する（Ｓ１８７）。
【０１８１】
以下、同様に、デスクトップ画像が変化するごとに、デスクトップ画像が操作用端末２に表示される。
【０１８２】
したがって、第５構成例によれば、テレビ電話機である操作用端末２に備わった音声ストリームの送信機能を使用して、資料表示サーバ１のデスクトップ画像を見ることができる。つまりデスクトップ画像を見るのに、パーソナルコンピュータを使用し、パーソナルコンピュータ用にゲートウェイのポート設定やファイアウォールの設定を変更する必要がないので、セキュリティ上のリスクを低減することができる。
【０１８３】
なお、資料表示サーバ１としてコンピュータを機能させるためのコンピュータプログラムは、半導体メモリ、磁気ディスク、光ディスク、光磁気ディスク、磁気テープなどのコンピュータ読み取り可能な記録媒体に記録でき、また、インターネットなどの通信網を介して伝送させて、広く流通させることができる。
【符号の説明】
【０１８４】
１  資料表示サーバ
２  操作用端末
３、３１、３２  テレビ電話機
４  多地点会議装置
１０１  資料データ記憶部
１０２  モニター装置
１０３  制御部
１０４  資料読み出し機能部
１０５  メニュー画像生成部
１０６  表示画像制御機能部
１０７  呼制御機能部
１０８  表示先情報管理部
１０９  音声ストリーム受信部
１１０  音声復号化部
１１１  音声解析部
１１２  画像取得部
１１３  画像サイズ変換部
１１４  画像符号化部
１１５  映像ストリーム送信部
１１６  デスクトップ画像取得部
【図１】
0005715081.tif 000002
【図２】
0005715081.tif 000003
【図３】
0005715081.tif 000004
【図４】
0005715081.tif 000005
【図５】
0005715081.tif 000006
【図６】
0005715081.tif 000007
【図７】
0005715081.tif 000008
【図８】
0005715081.tif 000009
【図９】
0005715081.tif 000010
【図１０】
0005715081.tif 000011
【図１１】
0005715081.tif 000012
【図１２】
0005715081.tif 000013
【図１３】
0005715081.tif 000014